(57)【要約】【課題】通信モジュールを設けた場合、通信モジュールの送受信部への電波伝搬の強度低下を抑制できるレンジフードを提供する。【解決手段】通信モジュール７は、搭載部６に設けた開口２１に挿入され、通信モジュール７の送受信部ケース８に設けたカバー部１０により開口２１を塞ぐように且つ室内に露出するように固定する構成にしたことにより、送受信部１１がカバー部１０を介して電波の送受信を行うことが可能となり、金属製で箱形状である搭載部６の内部に通信モジュール７の送受信部１１を設けた場合であっても、送受信部１１への電波伝搬の強度低下を抑制したレンジフードが得られる。【選択図】図１
2018054282.tif 000002
【特許請求の範囲】
【請求項１】
ファンを内蔵するファンユニットと、
前記ファンユニットに接続されたフレームユニットと、
前記フレームユニットの下方に設けられた整流板と、
前記フレームユニットの搭載部に搭載された通信モジュールとを備えたレンジフードであって、
前記通信モジュールは、送受信部と送受信部ケースとを含み、他の換気装置または他の空気調和装置を制御する中央制御装置と電波により前記送受信部を介して無線通信を行い、
前記送受信部ケースは、前記送受信部を覆うケース部と、前記ケース部に接続されたカバー部とを含み、
前記搭載部は、金属製の箱形状であり、内蔵する前記送受信部へ電波が届くように開口を有し、
前記カバー部は、樹脂製またはガラス製であり、前記開口を塞ぐように且つ室内に露出するように、前記搭載部に固定されることを特徴とするレンジフード。
【請求項２】
前記カバー部および前記開口は前記搭載部の下面に設けられたことを特徴とする請求項１に記載のレンジフード。
【請求項３】
前記カバー部および前記開口は前記搭載部の上面に設けられたことを特徴とする請求項１に記載のレンジフード。
【請求項４】
前記整流板と前記搭載部の後面との間に吸込部が形成され、
前記カバー部および前記開口は前記搭載部の前記後面に設けられたことを特徴とする請求項１に記載のレンジフード。
【請求項５】
ファンを内蔵するファンユニットと、
前記ファンユニットに接続されたフレームユニットと、
前記フレームユニットの下方に設けられた整流板と、
通信モジュールとを備えたレンジフードであって、
前記通信モジュールは、送受信部と送受信部ケースとを含み、他の換気装置または他の空気調和装置を制御する中央制御装置と電波により前記送受信部を介して無線通信を行い、
前記送受信部ケースは、一部または全部が樹脂製またはガラス製であり、前記送受信部を覆い、
室内と区切られた空間に前記送受信部が突出するように、前記送受信部ケースは、前記フレームユニットの上面に設けられることを特徴とするレンジフード。
【請求項６】
前記空間は、天井壁の上方の空間であることを特徴とする請求項５に記載のレンジフード。
【請求項７】
前記空間は、キャビネットの内部空間であることを特徴とする請求項５に記載のレンジフード。
【請求項８】
前記フレームユニットの前記上面の下方に設けられる固定部により、前記送受信部ケースは、前記フレームユニットの上面に固定されることを特徴とする請求項５〜７の何れか１項に記載のレンジフード。
【請求項９】
前記送受信部ケースおよび前記固定部は樹脂製とし、
前記送受信部ケースと前記固定部とを一体に形成したことを特徴とする請求項８に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来、この種のレンジフードは、箱体の本体と整流板を有し、本体の内部にファンケーシングを設け、本体の下方に設けた吸込口とファンケーシングとの間にフィルターを設けたものが知られている（例えば、特許文献１参照）。
【０００３】
以下、そのレンジフードについて図１２を参照しながら説明する。
【０００４】
図１２に示すように、箱体の本体１０１と、本体１０１下部に整流板１０２を有し、本体１０１の内部にファンケーシング１０３と、ファンケーシング１０３の内部に設けた遠心ファン１０４と、ファンケーシング１０３の天板１０８に遠心ファン１０４を回転させるモーター１０５を設け、本体１０１の下方に設けた吸込口１０６とファンケーシング１０３との間には可動固定部１０９により保持されるフィルター１０７を設けて構成されるレンジフードが知られている。
【先行技術文献】
【特許文献】
【０００５】
【特許文献１】特開２０１５−１８７５３６号公報
【発明の概要】
【発明が解決しようとする課題】
【０００６】
このような従来のレンジフードにおいては、中央制御装置からの無線通信によりレンジフードを制御するための通信モジュールをレンジフードに搭載する場合、調理中の油煙の影響を受けないように、本体の内部にある金属外郭で覆われた領域に通信モジュールを搭載すると、金属で囲われた影響により電波伝搬の強度が低下し、通信モジュールによるレンジフードの制御が困難となる場合がある。
【０００７】
電波伝搬の強度低下を抑制するために、通信モジュールを本体の内部に搭載せずに、本体の外部にある壁面等に独立して設置する場合がある。しかし、この場合、施工の工数が増加する、という課題を有していた。
【０００８】
そこで、本発明は、上記従来の課題を解決するものであり、通信モジュールを設けた場合に、通信モジュールの送受信部への電波伝搬の強度低下を抑制できるレンジフードを提供することを目的とする。
【課題を解決するための手段】
【０００９】
そして、この目的を達成するために、本発明の一態様に係るレンジフードは、ファンを内蔵するファンユニットと、前記ファンユニットに接続されたフレームユニットと、前記フレームユニットの下方に設けられた整流板と、前記フレームユニットの搭載部に搭載された通信モジュールとを備えたレンジフードであって、前記通信モジュールは、送受信部と送受信部ケースとを含み、他の換気装置または他の空気調和装置を制御する中央制御装置と電波により前記送受信部を介して無線通信を行い、前記送受信部ケースは、前記送受信部を覆うケース部と、前記ケース部に接続されたカバー部とを含み、前記搭載部は、金属製の箱形状であり、内蔵する前記送受信部へ電波が届くように開口を有し、前記カバー部は、樹脂製またはガラス製であり、前記開口を塞ぐように且つ室内に露出するように、前記搭載部に固定されるとしたものであり、これにより所期の目的を達成するものである。
【発明の効果】
【００１０】
本発明によれば、通信モジュールを設けた場合に、通信モジュールの送受信部への電波伝搬の強度低下を抑制できるレンジフードを得ることができる。
【図面の簡単な説明】
【００１１】
【図１】本発明の実施の形態１のレンジフードの側面断面を示す構成図
【図２】同レンジフードの下面を上方に向かって眺めた構成図
【図３】同レンジフードと無線通信する中央制御装置を示す図
【図４】本発明の実施の形態１の他のレンジフードの側面断面を示す構成図
【図５】本発明の実施の形態１の他のレンジフードの側面断面を示す構成図
【図６】本発明の実施の形態２のレンジフードの側面断面を示す構成図
【図７】同レンジフードの上面を下方に向かって眺めた構成図
【図８】整流板を外した同レンジフードの下面を上方に向かって眺めた構成図
【図９】通信モジュール周辺の拡大側面図
【図１０】通信モジュール周辺の拡大斜視図
【図１１】同レンジフードの変形例を示す側面構成図
【図１２】従来のレンジフードの側面断面を示す構成図
【発明を実施するための形態】
【００１２】
本発明の一態様に係るレンジフードは、ファンを内蔵するファンユニットと、前記ファンユニットに接続されたフレームユニットと、前記フレームユニットの下方に設けられた整流板と、前記フレームユニットの搭載部に搭載された通信モジュールとを備えたレンジフードであって、前記通信モジュールは、送受信部と送受信部ケースとを含み、他の換気装置または他の空気調和装置を制御する中央制御装置と電波により前記送受信部を介して無線通信を行い、前記送受信部ケースは、前記送受信部を覆うケース部と、前記ケース部に接続されたカバー部とを含み、前記搭載部は、金属製の箱形状であり、内蔵する前記送受信部へ電波が届くように開口を有し、前記カバー部は、樹脂製またはガラス製であり、前記開口を塞ぐように且つ室内に露出するように、前記搭載部に固定されるという構成を有する。
【００１３】
これにより、送受信部がカバー部を介して電波の送受信を行うことが可能となり、金属製で箱形状である搭載部の内部に通信モジュールの送受信部を設けた場合であっても、送受信部への電波伝搬の強度低下を抑制できる。このため、通信モジュールをレンジフードに搭載でき、施工の工数の増加を抑えることができる。
【００１４】
また、本発明の他の一態様に係るレンジフードは、ファンを内蔵するファンユニットと、前記ファンユニットに接続されたフレームユニットと、前記フレームユニットの下方に設けられた整流板と、通信モジュールとを備えたレンジフードであって、前記通信モジュールは、送受信部と送受信部ケースとを含み、他の換気装置または他の空気調和装置を制御する中央制御装置と電波により前記送受信部を介して無線通信を行い、前記送受信部ケースは、一部または全部が樹脂製またはガラス製であり、前記送受信部を覆い、室内と区切られた空間に前記送受信部が突出するように、前記送受信部ケースは、前記フレームユニットの上面に設けられるという構成を有する。
【００１５】
これにより、油煙を含んだ空気が送受信部に接触することを抑制できる。この結果、通信モジュールの故障を抑制できたり、通信モジュールの受信感度が悪くなることを抑制できる。また、室内と区切られた空間に送受信部を突出させることで、本体の外側に送受信部を出すことができるため、送受信部が送受信部ケースを介して電波の送受信を行うことが可能となり、送受信部への電波伝搬の強度低下を抑制できる。このため、通信モジュールをレンジフードに搭載でき、施工の工数の増加を抑えることができる。
【００１６】
以下、本発明の実施の形態について図面を参照しながら説明する。
（実施の形態１）
図１および図２に示すように、レンジフードを構成する本体２は、例えばキッチン等が設置されている室内１の調理台１４の上に置かれたガスコンロ等の加熱調理器１３の上方に設置される。
【００１７】
本体２は、ファン（不図示）を内蔵するファンユニット４と、ファンユニット４に接続されたフレームユニット３とを有する。
【００１８】
フレームユニット３は通信モジュール７を搭載する金属製で箱形状の搭載部６を備えている。
【００１９】
搭載部６は、前面６ａ、上面６ｂ、下面６ｃ、後面６ｄ、左側面６ｅ、右側面６ｆを有する。
【００２０】
搭載部６の前面６ａにファンの動作を操作する操作部１５を備えている。
【００２１】
フレームユニット３の下方に整流板５を備え、整流板５と搭載部６の後面６ｄとの間に調理時に発生する油煙を含んだ空気を吸い込む吸込部１２を有している。
【００２２】
通信モジュール７は、送受信部ケース８と、送受信部ケース８の内部に送受信部１１を備える。
【００２３】
送受信部ケース８は、ケース部９とカバー部１０とを有する。ケース部９は送受信部１１を覆う。カバー部１０は、例えば樹脂またガラスからなる。
【００２４】
搭載部６の下面６ｃに送受信部１１へ電波が届くように開口２１を備える。
【００２５】
開口２１に通信モジュール７を挿入し、送受信部ケース８のカバー部１０が開口２１を塞ぎ且つ室内１に露出するように搭載部６に固定される。
【００２６】
このような構成によれば、送受信部１１がカバー部１０を介して電波の送受信を行うことが可能となり、金属製で箱形状の搭載部６に通信モジュール７を搭載することによる電波伝搬の強度低下を抑制させることができる。このため、通信モジュール７をレンジフードに搭載することが可能となり、従来のレンジフードの設置にかかる工数と同等の工数での施工が可能となる。
【００２７】
ここで、通信モジュール７について、図３を用いて説明する。図３に示すように、レンジフード３２ａおよび複数の換気装置３２ｂ、３２ｃ、３２ｄにそれぞれ搭載された通信モジュール７、４２ｂ、４２ｃ、４２ｄと中央制御装置３１に備えた通信モジュール４１が電波による無線通信を行う。レンジフードおよび各換気装置の運転状態の情報に対応した制御仕様にて、中央制御装置３１はレンジフード３２ａおよび複数の換気装置３２ｂ、３２ｃ、３２ｄの運転を制御する。
【００２８】
なお、他の換気装置３２ｂ、３２ｃ、３２ｄの一部または全部はエアコン等の空気調和装置であってもよい。また、レンジフード３２ａも換気装置である。
【００２９】
また、図４に示すように、搭載部６の上面６ｂに開口２１を設け、送受信部ケース８のカバー部１０を搭載部６の上面に固定しても良い。
【００３０】
上記構成において、送受信部ケース８のカバー部１０は調理の際にレンジフードに吸込まれる温められた空気や、加熱調理器１３からの熱の影響を受けにくくなる。このため、通信モジュール７の周囲温度が上がることによる電波伝搬の強度低下を抑制することができる。
【００３１】
また、図５に示すように、搭載部６の後面６ｄに開口２１を設け、送受信部ケース８のカバー部１０を搭載部６の後面６ｄに固定しても良い。
【００３２】
上記構成において、レンジフードの正面からカバー部１０が見えなくなることとなる。このため、デザイン性を向上させるがことできる。
（実施の形態２）
図６〜図１１において、図１〜図５と同様の構成要素については同一の符号を付し、その詳細な説明は省略する。
【００３３】
図６に示すように、レンジフードは、ファン（不図示）を内蔵するファンユニット４と、ファンユニット４に接続されたフレームユニット３と、フレームユニット３の下方に設けられた整流板５と、通信モジュール５７とを備える。
【００３４】
ファンユニット４は、ファン、ファンケーシング５４および外郭５５を含む。ファンケーシング５４はファンを内蔵する。外郭５５はファンケーシング５４を覆う。
【００３５】
通信モジュール５７は固定部５３によりフレームユニット３の上面３ａに固定されている。通信モジュール５７の一部は、室内と区切られた空間５０（例えば天井壁５１の上方の空間）に突出している。
【００３６】
空気の流れＡで示すように、調理時に発生する油煙を含んだ空気は、吸込部１２からフレームユニット３の内部に吸い込まれる。そして、その空気はファンにより、ファンケーシング５４の内部に吸い込まれる。そして、その空気はファンケーシング５４に接続されたダクト５２により外部に排出される。
【００３７】
ここで、固定部５３の一部は空気の流れＡにさらされる領域に設けられていてもよい。
【００３８】
図７は、上方から下方に向かって見た場合のレンジフードの上面図である。図６では表していないが、図７ではフレームユニット３のフランジ部３ｂも表している。
【００３９】
図８は、下方から上方に向かって見た場合のレンジフードの下面図である。図６では表していないが、図８では通信モジュール５７に接続されるリード線６１も表している。なお、図８は、整流板５を外した状態の図である。
【００４０】
図９および図１０は、固定部５３による通信モジュール５７の固定方法の一例である。
【００４１】
図９および図１０に示すように、通信モジュール５７は、送受信部５９と送受信部ケース５８とを含む。
【００４２】
送受信部ケース５８は、例えば、一部または全部が樹脂製またはガラス製である。送受信部ケース５８は送受信部５９を覆っている。なお、図１０では、送受信部ケース５８の一部を透明にして、送受信部ケース５８の中にある送受信部５９の一部が見えるようにしてある。
【００４３】
フレームユニット３の上面３ａの下方に設けられる固定部５３により、送受信部ケース５８は、フレームユニット３の上面３ａに固定される。なお、上面３ａの下方に設けられる固定部５３とは、固定部５３の一部が上面３ａの上方にある場合を含む。
【００４４】
固定部５３はツメ７１を含んでもよい。ツメ７１によって固定部５３は上面３ａに係合する。この例では、ネジ７２およびナット７３も使用して、固定部５３は上面３ａに固定される。ネジ７２は先端７２ａを含む。固定部５３は例えば樹脂製または金属製である。
【００４５】
このように、本実施形態のレンジフードは、室内１と区切られた空間５０に送受信部５９が突出するように、送受信部ケース５８は、フレームユニット３の上面３ａに設けられる。
【００４６】
この構成によれば、油煙を含んだ空気が送受信部５９に接触することを抑制できる。この結果、通信モジュール５７の故障を抑制できたり、通信モジュール５７の受信感度が悪くなることを抑制できる。
【００４７】
なお、送受信部５９は送受信部ケース５８に覆われているが、送受信部ケース５８に隙間がある場合、その隙間から空気が送受信部ケース５８の中に入る可能性がある。本実施形態と異なり、もし、送受信部５９が室内１と直接つながった空間（例えば上面３ａの下方の空間）に突出していると、送受信部ケース５８の隙間を介して油煙を含んだ空気が送受信部５９の周囲へ流入するおそれがある。この際、その空気により送受信部が汚染されて通信モジュールが故障したり、その空気の熱により通信モジュールの受信感度に悪影響を与えるおそれがある。
【００４８】
一方、本実施形態のレンジフードでは、送受信部ケース５８に隙間があったとしても、空間５０に送受信部５９を突出させている（送受信部５９が上面３ａよりも上方にある）ため、油煙を含んだ空気が送受信部５９に接触することを抑制できる。特に、上面３ａの下方に設けられる固定部５３が送受信部ケース５８への汚染空気の流入をさらに抑制している。この結果、通信モジュール５７の故障をさらに抑制できたり、通信モジュール５７の受信感度が悪くなることをさらに抑制できるのである。
【００４９】
また、空間５０に送受信部５９を突出させることで、本体２の外側に送受信部５９を出すことができる。
【００５０】
これにより、送受信部５９が送受信部ケース５８を介して電波の送受信を行うことが可能となり、本体２に通信モジュール５７の送受信部５９を設けた場合であっても、送受信部５９への電波伝搬の強度低下を抑制できる。
【００５１】
そして、本実施形態のレンジフードにより、施工の工数増加を抑えつつ、通信モジュール５７をレンジフードに搭載することができる。
【００５２】
そして、本体２に通信モジュール５７を搭載した場合であっても、調理中の油煙の影響を低減すると共に送受信部５９への電波伝搬の強度低下を抑制できるレンジフードを提供できる。
【００５３】
なお、図３と同様に、通信モジュール５７は、他の換気装置３２ｂ、３２ｃ、３２ｄを制御する中央制御装置３１と電波により送受信部５９を介して無線通信を行う。
【００５４】
図１１は本実施形態の変形例である。図１１に示すように、フレームユニット３の大部分はキャビネット８１の内部である内部空間８０に設けられている。キャビネット８１は、上面８１ａ、側面８１ｂおよび下面８１ｃを有する。内部空間８０は、上面８１ａ、側面８１ｂおよび下面８１ｃによって囲まれた空間である。
【００５５】
空気の流れＢで示すように、調理時に発生する油煙を含んだ空気は、吸込部１２からフレームユニット３の内部に吸い込まれる。そして、その空気はファンにより、ファンケーシング５４の内部に吸い込まれる。そして、その空気はファンケーシング５４に接続されたダクト５２により外部に排出される。
【００５６】
図１１の通信モジュール５７は、図１０と同様である。
【００５７】
室内１と区切られた空間５０である内部空間８０に送受信部５９が突出するように、送受信部ケース５８は、フレームユニット３の上面３ａに設けられる。
【００５８】
この構成によれば、油煙を含んだ空気が送受信部５９に接触することを抑制できる。この結果、通信モジュール５７の故障を抑制できたり、通信モジュール５７の受信感度が悪くなることを抑制できる。
【００５９】
また、内部空間８０に送受信部５９を突出させることで、本体２の外側に送受信部５９を出すことができるため、送受信部５９が送受信部ケース５８を介して電波の送受信を行うことが可能となる。
【００６０】
なお、図１１ではキャビネット８１は断面図として表しているが、フレームユニット３は断面図でなく、側面図として表している。
【００６１】
また、上面３ａはフレームユニット３の傾斜した上面３ａ１を含む。すなわち、フレームユニット３の上面とはフレームユニット３の側面３ｃよりも上の面のことをいうものとする。このため、内部空間８０に送受信部５９が突出するように、送受信部ケース５８は、上面３ａ１に設けられてもよい。
【００６２】
また、図６ではファンユニット４はファンとファンケーシング５４と外郭５５を含むものであるが、図１１の場合は必ずしもファンケーシングを覆う外郭５５がない。このため、図１１の場合、ファンユニット４はファンおよびファンケーシング５４から構成されるものとなる。
【００６３】
また、図１、図６および図１１等において、吸込部１２を通過した空気は、まずフレームユニット３の内部に入り、その後、ファンユニット４の中を流れていく。吸込部１２を通過した空気が始めに流入する領域を形成するのがフレームユニット３である。
【００６４】
以下、実施の形態について、補足する。
【００６５】
本発明の一態様に係るレンジフードは、ファンを内蔵するファンユニット４と、ファンユニットに接続されたフレームユニット３と、フレームユニット３の下方に設けられた整流板５と、フレームユニット３の搭載部６に搭載された通信モジュール７とを備えたレンジフードであって、通信モジュール７は、送受信部１１と送受信部ケース８とを含み、他の換気装置３２ｂ、３２ｃ、３２ｄまたは他の空気調和装置を制御する中央制御装置３１と電波により送受信部１１を介して無線通信を行い、送受信部ケース８は、送受信部１１を覆うケース部９と、ケース部９に接続されたカバー部１０とを含み、搭載部６は、金属製の箱形状であり、内蔵する送受信部１１へ電波が届くように開口２１を有し、カバー部１０は、樹脂製またはガラス製であり、開口２１を塞ぐように且つ室内１に露出するように、搭載部６に固定されるという構成を有する。
【００６６】
これにより、送受信部１１がカバー部１０を介して電波の送受信を行うことが可能となり、金属製で箱形状である搭載部６の内部に通信モジュール７の送受信部１１を設けた場合であっても、送受信部１１への電波伝搬の強度低下を抑制できる。このため、通信モジュール７をレンジフードに搭載でき、施工の工数の増加を抑えることができる。
【００６７】
また、カバー部１０および開口２１は搭載部６の下面６ｃに設けたという構成にしてもよい。
【００６８】
これにより、レンジフードの下面６ｃにおいて室内１の空間に露出したカバー部１０を介して送受信部１１が電波の送受信を行うことが可能となる。
【００６９】
また、カバー部１０および開口２１は搭載部６の上面６ｂに設けたという構成にしてもよい。
【００７０】
これにより、通信モジュール７は、調理の際にレンジフードに吸い込まれる温められた空気や、加熱調理器１３からの熱の影響を受けにくくなる。このため、通信モジュール７の周囲温度が上がることによる電波伝搬の強度低下を抑制することができる。
【００７１】
また、整流板５と搭載部６の後面６ｄとの間に吸込部１２が形成され、カバー部１０および開口２１は搭載部６の後面６ｄに設けたという構成にしてもよい。
【００７２】
これにより、レンジフードの正面からカバー部１０が見えなくなることとなるので、デザイン性を向上させることができる。
【００７３】
また、本発明の他の一態様に係るレンジフードは、ファンを内蔵するファンユニット４と、ファンユニット４に接続されたフレームユニット３と、フレームユニット３の下方に設けられた整流板５と、通信モジュール５７とを備えたレンジフードであって、通信モジュール５７は、送受信部５９と送受信部ケース５８とを含み、他の換気装置３２ｂ、３２ｃ、３２ｄまたは他の空気調和装置を制御する中央制御装置３１と電波により送受信部５９を介して無線通信を行い、送受信部ケース５８は、一部または全部が樹脂製またはガラス製であり、送受信部５９を覆い、室内１と区切られた空間５０に送受信部５９が突出するように、送受信部ケース５８は、フレームユニット３の上面３ａ、３ａ１に設けられるという構成を有する。
【００７４】
これにより、油煙を含んだ空気が送受信部５９に接触することを抑制できる。この結果、通信モジュール５７の故障を抑制できたり、通信モジュール５７の受信感度が悪くなることを抑制できる。また、空間５０に送受信部５９を突出させることで、本体２の外側に送受信部５９を出すことができるため、送受信部５９が送受信部ケース５８を介して電波の送受信を行うことが可能となり、送受信部５９への電波伝搬の強度低下を抑制できる。このため、通信モジュール５７をレンジフードに搭載でき、施工の工数の増加を抑えることができる。
【００７５】
また、空間５０は、天井壁５１の上方の空間５０であるという構成にしてもよい。
【００７６】
これにより、天井壁５１の上方の空間５０を利用して、通信モジュール５７の送受信を行うことができる。
【００７７】
また、空間５０は、キャビネット８１の内部空間８０であるという構成にしてもよい。
【００７８】
これにより、キャビネット８１の内部空間８０を利用して、通信モジュール５７の送受信を行うことができる。
【００７９】
また、フレームユニット３の上面３ａ、３ａ１の下方に設けられる固定部５３により、送受信部ケース５８は、フレームユニット３の上面３ａ、３ａ１に固定されるという構成にしてもよい。
【００８０】
これにより、上面３ａ、３ａ１の下方に設けられる固定部５３が送受信部ケース５８への汚染空気の流入をさらに抑制できる。この結果、通信モジュール５７の故障をさらに抑制できたり、通信モジュール５７の受信感度が悪くなることをさらに抑制できる。
【００８１】
また、送受信部ケース５８と固定部５３とを一体に形成したという構成にしてもよい。
【００８２】
これにより、送受信部ケース５８および固定部５３を小型化できるため、通信モジュール５７を上面３ａ、３ａ１に取り付けやすくなる。なお、送受信部ケース５８と固定部５３とを一体に形成する場合は、送受信部ケース５８にツメ７１を設けてもよい。なお、送受信部ケース５８と固定部５３とを一体に形成する場合は、送受信部ケース５８および固定部５３は樹脂製が好ましい。
【００８３】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８４】
本発明に係るレンジフードは、通信モジュールをレンジフードに搭載することを可能とするものであるので、他の換気装置または他の空気調和装置を中央制御装置により制御する換気空調システム等としても有用である。
【符号の説明】
【００８５】
１    室内
２    本体
３    フレームユニット
３ａ    上面
３ａ１    上面
３ｂ    フランジ部
３ｃ    側面
４    ファンユニット
５    整流板
６    搭載部
６ａ    前面
６ｂ    上面
６ｃ    下面
６ｄ    後面
６ｅ    左側面
６ｆ    右側面
７    通信モジュール
８    送受信部ケース
９    ケース部
１０    カバー部
１１    送受信部
１２    吸込部
１３    加熱調理器
１４    調理台
１５    操作部
２１    開口
３１    中央制御装置
３２ａ    レンジフード
３２ｂ    換気装置
３２ｃ    換気装置
３２ｄ    換気装置
４１    通信モジュール
４２ｂ    通信モジュール
４２ｃ    通信モジュール
４２ｄ    通信モジュール
５０    空間
５１    天井壁
５２    ダクト
５３    固定部
５４    ファンケーシング
５５    外郭
５７    通信モジュール
５８    送受信部ケース
５９    送受信部
６１    リード線
７１    ツメ
７２    ネジ
７２ａ    先端
７３    ナット
８０    内部空間
８１    キャビネット
８１ａ    上面
８１ｂ    側面
８１ｃ    下面
Ａ    空気の流れ
Ｂ    空気の流れ
【図１】
2018054282.tif 000003
【図２】
2018054282.tif 000004
【図３】
2018054282.tif 000005
【図４】
2018054282.tif 000006
【図５】
2018054282.tif 000007
【図６】
2018054282.tif 000008
【図７】
2018054282.tif 000009
【図８】
2018054282.tif 000010
【図９】
2018054282.tif 000011
【図１０】
2018054282.tif 000012
【図１１】
2018054282.tif 000013
【図１２】
2018054282.tif 000014